(57)【要約】【課題】イヤーピースの外耳道に対する挿抜に伴う前方気室の圧力変動をなくしつつ良好な再生音響特性が得られるイヤホンを提供する。【解決手段】スピーカユニット(SP)と、スピーカユニット(SP)を収容すると共にスピーカユニット(SP)からの音を先端から出力する音筒部(2b)を有するハウジング(1)と、ハウジング(1)に、ハウジング(1)内のスピーカユニット(SP)の前方空間(Vf)と非連通に形成され、一端が音筒部(2b)の先端面(2b2)に開口し他端がハウジング(1)における音筒部(2b)以外の外面から外部空間(Vg)に連通可能とされた通気路(6)と、を備えた。【選択図】図１
2018121285.tif 000002
【特許請求の範囲】
【請求項１】
スピーカユニットと、
前記スピーカユニットを収容すると共に前記スピーカユニットからの音を先端から出力する音筒部を有するハウジングと、
前記ハウジングに、前記ハウジング内の前記スピーカユニットの前方空間と非連通に形成され、一端が前記音筒部の先端面に開口し他端が前記ハウジングにおける前記音筒部以外の外面から外部空間に連通可能とされた通気路と、
を備えたイヤホン。
【請求項２】
スピーカユニットと、
前記スピーカユニットを収容すると共に前記スピーカユニットからの音を先端から出力する貫通孔が形成された音筒部を有するハウジングと、
前記ハウジングの内部に設けられ、一端側が前記音筒部の前記貫通孔内に配置されて前記音筒部の先端近傍位置で開口し、他端側が前記ハウジングの前記音筒部以外の外面から外部空間に連通可能な通気路を有する通気部材と、
を備えたイヤホン。
【請求項３】
前記通気路を開閉する弁部を備えていることを特徴とする請求項１又は請求項２記載のイヤホン。
【請求項４】
前記弁部は、回動により前記通気路を開閉することを特徴とする請求項３記載のイヤホン。
【請求項５】
前記外面は、前記ハウジングにおける前記音筒部の反対側の外面であることを特徴とする請求項１〜４のいずれか１項に記載のイヤホン。
【発明の詳細な説明】
【技術分野】
【０００１】
本発明は、イヤホンに係り、特に、イヤーピースを外耳道内に挿入して使用するいわゆるカナル型（耳栓型）のイヤホンに関する。
【背景技術】
【０００２】
スピーカユニットを収容したハウジングに筒状に突出する音筒部を設け、その音筒部に装着したイヤーピースを外耳道内に挿入して使用するいわゆるカナル型（耳栓型）のイヤホンが知られている。
【０００３】
カナル型のイヤホンは、使用時においてイヤーピースと外耳道内の内壁とが実質的に密着状態になる。
そのため、音筒部を含むハウジングの内部におけるスピーカユニットの放音面側の前方の空間を形成する前方気室が、音筒部先端の放音孔のみが開口し、他が密閉されるよう形成されている場合、イヤーピースを外耳道内に挿入すると、前方気室及び外耳道の内部空間が密閉状態となることから、内気が圧縮されて圧力が上昇する。
また、外耳道に挿入したイヤーピースを抜き取る時には、逆の作用により前方気室及び外耳道の内部空間の内気が密閉状態で膨張し圧力が降下する。
【０００４】
このような、イヤーピースの挿抜に伴う圧力変動が大きい場合、次のような不具合が生じる虞があった。すなわち、使用者にとっては、鼓膜が内外に押し引きされて違和感を覚える虞があり、イヤホンにおいては、スピーカユニットの振動板が振動方向に押し引きされてスピーカユニットの駆動系に不具合を生じる虞がある。
【０００５】
そこで、従来、ハウジングに、その内部の前方気室と外部の空間とを連通する通気路を設け、イヤーピースを外耳道に対し挿抜するときに、外耳道の内部空間及びそれに連通したハウジング内の前方気室の圧力を変動させないようにしたイヤホンが提案されている（特許文献１）。
【０００６】
特許文献１に記載されたイヤホンは、さらに通気路を開閉する弁部を備え、使用時には通気路を閉じて前方気室及び外耳道の内部空間を密閉状態とし、外部への音漏れを抑制すると共に良好な再生音響特性を確保するようになっている。
【先行技術文献】
【特許文献】
【０００７】
【特許文献１】特開２００８−１４７７１０号公報
【発明の概要】
【発明が解決しようとする課題】
【０００８】
特許文献１に記載されたイヤホンのように、ハウジング内部の前方気室と、ハウジングの外部の空間と、を連通する通気路を設けた場合、イヤホンの再生音質に大きく影響する前方気室の形状を、通気路の内部空間を含めたものとして設計する必要がある。
しかしながら、通気路を含めることで前方気室の形状はより複雑になり、ハウジングを、スピーカユニットの特性に合わせた良好な再生音響特性が得られる形状に設計することが難しくなる。
そのため、イヤーピースの外耳道に対する挿抜に伴う前方気室の圧力変動をなくすために従来の構造を採用すると、良好な再生音響特性が得られるイヤホンを得にくいという問題があった。
【０００９】
そこで、本発明が解決しようとする課題は、イヤーピースの外耳道に対する挿抜に伴う前方気室の圧力変動をなくしつつ、良好な再生音響特性が得られるイヤホンを提供することにある。
【課題を解決するための手段】
【００１０】
上記の課題を解決するために、本発明は次の構成を有する。
１）  スピーカユニットと、
前記スピーカユニットを収容すると共に前記スピーカユニットからの音を先端から出力する音筒部を有するハウジングと、
前記ハウジングに、前記ハウジング内の前記スピーカユニットの前方空間と非連通に形成され、一端が前記音筒部の先端面に開口し他端が前記ハウジングにおける前記音筒部以外の外面から外部空間に連通可能とされた通気路と、
を備えたイヤホンである。
２）  スピーカユニットと、
前記スピーカユニットを収容すると共に前記スピーカユニットからの音を先端から出力する貫通孔が形成された音筒部を有するハウジングと、
前記ハウジングの内部に設けられ、一端側が前記音筒部の前記貫通孔内に配置されて前記音筒部の先端近傍位置で開口し、他端側が前記ハウジングの前記音筒部以外の外面から外部空間に連通可能な通気路を有する通気部材と、
を備えたイヤホンである。
【発明の効果】
【００１１】
本発明によれば、イヤーピースの外耳道に対する挿抜に伴う前方気室の圧力変動をなくしつつ、良好な再生音響特性が得られる。
【図面の簡単な説明】
【００１２】
【図１】図１は、本発明の実施の形態に係るイヤホンの実施例１であるイヤホン５１の断面図である。
【図２】図２は、イヤホン５１の音筒部２ｂの前面図である。
【図３】図３は、イヤホン５１の後面の動作図である。
【図４】図４は、本発明の実施の形態に係るイヤホンの実施例２であるイヤホン５２の断面図である。
【図５】図５は、イヤホン５２の音筒部２２ｂの前面図である。
【図６】図６は、イヤホン５２の後面の動作図である。
【図７】図７は、イヤホン５２の変形例を説明するための断面図である。
【図８】図８は、イヤホン５１，５２の他の変形例を説明するための前面図である。
【発明を実施するための形態】
【００１３】
本発明の実施の形態に係るイヤホンを、実施例１のイヤホン５１及び実施例２のイヤホン５２により説明する。
（実施例１）
実施例１のイヤホン５１を図１〜図３を参照して説明する。以下の説明において、前後方向を図１に矢印で示される方向に規定する。前方は、イヤホン５１の使用状態における頭部側である。
【００１４】
イヤホン５１は、振動板ＳＰａを有し放音面が前方側となる姿勢で配置されたスピーカユニットＳＰと、スピーカユニットＳＰを内部に収容したハウジング１と、を有する。
ハウジング１は、スピーカユニットＳＰを支持するためのリブ２ｃを有する前ハウジング２と、前ハウジング２の後方側に組み付けられ、前ハウジング２と共にスピーカユニットＳＰの後方側にバックキャビティＶｂを形成する後ハウジング３と、スピーカユニットＳＰを支持するためのリブ５ｃを有し前ハウジング２の内面に取り付けられたサポータ５と、を含んで構成される。
【００１５】
前ハウジング２は、底板としての前壁２ａを有する有底円筒状に形成されている。
前壁２ａには、貫通孔２ｂ１を有する筒状にて前方突出する音筒部２ｂが形成されている。
【００１６】
音筒部２ｂには、シリコーンゴムなどの材料で柔軟性を有するよう形成されたイヤーピース４が、着脱自在に取り付けられている。
すなわち、ハウジング１は、イヤーピースが装着される音筒部２ｂを有する。
【００１７】
また、前壁２ａには、後方に向け延びる既述のリブ２ｃが形成されている。
リブ２ｃは、所定の角度範囲を欠いた円弧状に形成されており、この欠落した部分を補完する円弧状のリブ５ｃを有するサポータ５が、前ハウジング２の内面に固定されている。
リブ２ｃ及びリブ５ｃにより円形のリブＲｂが構成され、リブＲｂの先端部分には、スピーカユニットＳＰが接着等により実質的に密着状態で取り付けられている。
これにより、前ハウジング２の音筒部２ｂを除く部分におけるスピーカユニットＳＰの前方側の空間Ｖｈｆと音筒部２ｂの内部の空間Ｖｔとが連通した前方空間Ｖｆが形成されている。すなわち、イヤホン５１は、前方空間Ｖｆを形成する前方気室Ｒ１を備えている。
【００１８】
前ハウジング２，後ハウジング３，及びサポータ５は、硬質の樹脂又は金属で形成される。
【００１９】
図２は、イヤーピース４を装着していない状態の音筒部２ｂを、前方から見た前面図である。
図１及び図２に示されるように、音筒部２ｂには、その先端面２ｂ２に開口し、貫通孔２ｂ１と平行に延びる孔として通気路６ａが形成されている。通気路６ａの内径φａは限定されるものではないが、貫通孔２ｂ１の内径φｂの半分よりも小さく設定される。例えば、φｂ／φａ＝５とし、φａ＝０．５ｍｍ、φｂ＝２．５ｍｍとする。図１〜図３には、φｂ／φａの値が５よりも小さい場合をイメージして示されている。
【００２０】
サポータ５と前ハウジング２との間には、通気路６ａと同様の孔状空間となる通気路６ｂが、前ハウジング２の内面に沿って、前ハウジング２の前後方向に延びるように形成されている。
通気路６ｂの前端は、接続点Ｐａにおいて、通気路６ａの後端に接続している。通気路６ｂは通気路６ａと同じ内径φａで形成されている。
通気路６ｂの後端側は、前ハウジング２の後端面２ｄに開口している。
【００２１】
図１において、後ハウジング３は、底板として後壁３ａを有する有底円筒状に形成されている。
後ハウジング３の開放された前端部と前ハウジング２の開放された後端部とが接着或いは容着などにより連結されて、ハウジング１が形成されている。
イヤホン５１では、スピーカユニットＳＰの後面及び側面と、前ハウジング２の内面と、後ハウジングの内面と、により、後方気室Ｒ２が形成されている。後方気室Ｒ２の内部空間が既述のバックキャビティＶｂである。
【００２２】
後ハウジング３の後端部には、全周にわたり後方に突出し、円板部材を係合支持する支持環部３ｂが形成されている。
【００２３】
後ハウジング３には、前端が通気路６ｂと接続点Ｐｂで連通すると共に後端が後壁３ａの後面３ａ１に開口するよう前後方向に延びる通気路６ｃが形成されている。
通気路６ｃは、通気路６ｂと同じ内径φａで形成されている。
【００２４】
これにより、イヤホン５１には、通気路６ａと通気路６ｂと通気路６ｃとにより、前方端が音筒部２ｂの先端面２ｂ２に開口し、後方端が後面３ａ１に開口部６ｃ１として開口する一本の通気路６が形成されている。
通気路６は、ハウジング１の内部空間である前方空間Ｖｆ及びバックキャビティＶｂに連通することなく独立に形成されている。
【００２５】
図３は、イヤホン５１を後方から見た後面図である。また、図１は、図３におけるＳ１−Ｓ１位置での断面図に相当する。
図１及び図３に示されるように、イヤホン５１は、オーナメントプレート７を有する。
【００２６】
オーナメントプレート７は、円板状であって、中心が後ハウジング３の軸線ＣＬ３の位置と合致して配置されている。
オーナメントプレート７は、後ハウジング３に形成された既述の支持環部３ｂにより、軸線ＣＬ３まわりに回動自在に支持されている。
支持環部３ｂは、オーナメントプレート７を指によって回動できるように支持している。
【００２７】
オーナメントプレート７を、少なくとも一つの回動位置（以下、開位置とも称する）（図３（ａ）参照）にしたときに、通気路６の開口部６ｃ１を開放して外部空間Ｖｇと連通させる開放部７ａを有している。
この例において、開放部７ａは、外周縁から中心に向け切り込まれたＵ字切り欠きとされている。
また、オーナメントプレート７は、少なくとも一つの他の回動位置（以下、閉位置とも称する）（図３（ｂ）参照）にしたときに、通気路６の開口部６ｃ１を塞いで通気路６と外部空間Ｖｇとを非連通にする。
【００２８】
すなわち、オーナメントプレート７は、開位置と閉位置との間の回動により通気路６を開閉する開閉弁部Ｂとして機能する。
オーナメントプレート７には、使用者が、指によってその回動をより容易に行えるようにするための後方に突出する指掛かり７ｂが形成されている。
支持環部３ｂは、オーナメントプレート７の回動における開位置及び閉位置で回動負荷が増し、自然状態におけるそれぞれの位置で、オーナメントプレート７を維持するように形成されているとよい。
【００２９】
図１に戻り、スピーカユニットＳＰの後面には、一対の端子ＳＰｂが形成されている。一対の端子ＳＰｂには、図示しないコードの一端側が電気接続されている。コードの他端側はハウジング１の外部に引き出されている。
コードの他端先端部はプラグ化処理され、音声再生装置に接続できるようになっている。
これにより、音声再生装置からの音声信号が、コードを介してスピーカユニットＳＰに入力された際に、スピーカユニットＳＰは放音面からイヤホン５１の前方に向け音声を出力する。放音面から出力された音は、音筒部２ｂの貫通孔２ｂ１を通り先端から外部空間に放出される。
【００３０】
上述の構成を有するイヤホン５１を使用する場合は、イヤーピース４を音筒部２ｂに装着した状態とし、次の手順で外耳道に対し挿抜する。
【００３１】
（Ｓ１）オーナメントプレート７を回動して開状態にする。これにより、音筒部２ｂの前方の空間、すなわち、装着の際の外耳道の内部空間と、ハウジング１の外部空間Ｖｇとが、通気路６を介して連通した状態となる。
【００３２】
（Ｓ２）使用者は、ハウジング１を指で摘み、イヤーピース４を外耳道内に挿入する。この挿入の過程で、外耳道内の空間容積は減少する。空間内部の空気は圧縮されるように押し込まれるものの通気路６を通って外部空間Ｖｇに流出するので、外耳道の内部空間及び前方空間Ｖｆの圧力は外部空間の圧力と同じになる。
従って、イヤーピース４の外耳道への挿入過程で、鼓膜及びスピーカユニットＳＰの振動板ＳＰａが空気に押されることはない。そのため、使用者が違和感を覚えることはなくスピーカユニットＳＰの駆動系に不具合が生じることはない。
【００３３】
（Ｓ３）イヤーピース４が外耳道内に所定量挿入されてイヤホン５１が耳介に装着されたら、使用者は、オーナメントプレート７を閉位置に回動させる。
これにより、通気路６が閉じられるので、前方空間Ｖｆは、外耳道の内壁と鼓膜とイヤホン５１とで密閉状態になる。そのため、音漏れがなく良好な再生音響特性が得られる。
【００３４】
（Ｓ４）イヤホン５１を使用後に取り外す際には、使用者は、まず、オーナメントプレート７を回動させて開位置とする。これにより、外耳道の内部空間及び前方空間Ｖｆと、外部空間Ｖｇとが、通気路６を介して連通した状態となる。
【００３５】
（Ｓ５）次いで、使用者は、ハウジング１を指で摘み、イヤーピース４を外耳道から取り外す。この取り外しの過程で、外耳道の内部空間及び前方空間Ｖｆの空間容積は拡張されるが、通気路６を介して外部空間Ｖｇから空気が流入するので、外耳道の内部空間及び前方空間Ｖｆの圧力は外部空間Ｖｇの圧力と同じになる。
従って、イヤーピース４の外耳道からの抜去過程で、鼓膜及びスピーカユニットＳＰの振動板ＳＰａが空気に引かれることはない。そのため、使用者が違和感を覚えることはなくスピーカユニットＳＰの駆動系に不具合が生じることはない。
【００３６】
以上詳述したように、イヤホン５１は、前方空間Ｖｆ及び音筒部２ｂの前方の空間と、外部空間Ｖｇと、を連通する通気路６と、通気路６を開閉する開閉弁部Ｂとしてのオーナメントプレート７と、を有している。
【００３７】
これにより、使用者は、イヤホン５１の耳介への装脱における、イヤーピース４の外耳道に対する挿抜で通気路６を開とし、イヤホン５２の使用状態で通気路６を閉とすることができる。
そのため、イヤーピース４の外耳道に対する挿抜の際に、前方空間Ｖｆ及び外耳道内の空間の圧力変動をなくすことができ、使用者が鼓膜の違和感を覚えることはなく、スピーカユニットＳＰの駆動系に不具合を生じることはない。
【００３８】
また、イヤーピース４を外耳道内に挿入した後のイヤホン５１の使用時において、前方空間Ｖｆ及び外耳道内の空間を外部空間Ｖｇに対して非連通にできるので、外部への音漏れを少なくできると共に良好な再生音響特性が得られる。
また、通気路６が、前方空間Ｖｆに対し独立して形成されているので、ハウジング１を、スピーカユニットＳＰの特性に合わせた良好な再生音響特性が得られる形状に設計することが容易となる。これにより、イヤホン５１を良好な再生音響特性を有するものとして得られる。
【００３９】
次に、実施例２を説明する。
（実施例２）
実施例１のイヤホン５１は、通気路６をハウジング１に一体形成しているのに対し、実施例２のイヤホン５２は、通気路６を、ハウジング１とは別の部材によりダクトとして備えたものである。以下、別の部材を通気部材と称する。
そこで、次に、通気部材の例としてパイプ２８を用い、パイプ２８における両端を繋ぐ孔を、ダクトである通気路６としたものを説明する。
以下、図４〜図６を参照し、イヤホン５２についてイヤホン５１と異なる構成を主に説明する。
【００４０】
図４に示されるように、イヤホン５２におけるハウジング２１は、前ハウジング２２と、後ハウジング２３と、サポータ２５と、パイプ２８と、を有して構成されている。
【００４１】
前ハウジング２２には、音筒部２２ｂが形成され、音筒部２２ｂには、着脱自在にイヤーピース４が装着される。
前ハウジング２２は、イヤホン５１の前ハウジング２に対し、通気路６ａが形成されていないものである。
【００４２】
後ハウジング２３は、イヤホン５１の後ハウジング３に対し、通気路６ｂが形成されていないものである。
後ハウジング２３には、イヤホン５１のサポータ５に対応する部材として、スピーカユニットＳＰをリブ２２ｃと共に支持するリブ２５ｃを有し、前方の空間ＶｈｆとバックキャビティＶｂとをリブ２２ｃと共に非連通に分離する既述のサポータ２５が取り付けられている。
【００４３】
パイプ２８は、両端を通気可能に繋ぐ孔２８ａを有する金属又は樹脂の管として形成されている。以下、孔２８ａを通気路２８ａとも称する。
通気路２８ａの内径は、例えば０．５ｍｍ程度とされる。
図４に示されるように、パイプ２８は、音筒部２２ｂの貫通孔２２ｂ１内から、前ハウジング２２の内壁及び後ハウジング２３の内壁に沿って後方に延び、後ハウジング２３の後壁２３ａに至る前後に延びる姿勢で配置されている。
【００４４】
詳しくは、パイプ２８は、前方端が音筒部２２ｂの先端面２２ｂ２と同じ前後方向位置にあって、通気路２８ａは前方に向け開口している。
図５は、音筒部２２ｂを前方から見た前面図である。
図５に示されるように、音筒部２２ｂの貫通孔２２ｂ１内に、パイプ２８が配置されている。径方向の配置位置は限定されない。この例では、貫通孔２２ｂ１の内壁に近い位置に配置されているが、例えば、貫通孔２２ｂ１の中心位置であってもよい。
【００４５】
図４に戻り、パイプ２８は、後方部が後ハウジング２３の後壁２３ａに形成された保持部２３ａ２の保持孔２３ａ３に通されて保持されている。
パイプ２８の後方端は、後面２３ａ１と同じ前後方向位置にあり、通気路２８ａが後方に向け開口している。
従って、パイプ２８の孔である通気路２８ａを介して、音筒部２２ｂの前方の空間、すなわち、装着の際の外耳道の内部空間と、ハウジング２１の外部空間Ｖｇとが、連通可能となる。
イヤホン５２は、パイプ２８を備えることで、通気路２８ａが、前方空間Ｖｆ及びバックキャビティＶｂに連通することなく独立に形成されている。
【００４６】
イヤホン５２は、イヤホン５１におけるオーナメントプレート７に対応する部材として、開位置と閉位置との間の回動によって通気路２８ａを開閉するオーナメントプレート２７を、開閉弁部Ｂとして備えている。
オーナメントプレート２７は、オーナメントプレート７においてＵ字状の切り欠きで形成されていた開放部７ａの替わりに、パイプ２８の通気路２８ａの後端部を開放する円形の開放部２７ａを有する。
また、オーナメントプレート２７は、回動を指で容易に行えるようにするために、後方へ突出する指掛かり２７ｂを有する。
【００４７】
図６（ａ）に示されるオーナメントプレート２７の開位置で、通気路２８ａは開放部２７ａを通して外部空間Ｖｇと連通し、図６（ｂ）に示されるオーナメントプレート２７の閉位置で、通気路２８ａはオーナメントプレート２７に塞がれて外部空間Ｖｇと非連通となる。
【００４８】
イヤホン５２を使用する場合の、音筒部２２ｂに装着されたイヤーピース４の外耳道に対する挿抜手順は、イヤホン５１で説明した（Ｓ１）〜（Ｓ５）と同様であり、同様の効果が得られる。
【００４９】
上述のように、イヤホン５２は、前方空間Ｖｆ及び音筒部２２ｂの前方の空間と、外部空間Ｖｇと、を連通する通気路２８ａと、通気路２８ａを開閉する開閉弁部Ｂとしてのオーナメントプレート２７と、を有している。
【００５０】
これにより、使用者は、イヤホン５２の耳介への装脱における、イヤーピース４の外耳道に対する挿抜で通気路２８ａを開とし、イヤホン５２の使用状態で通気路２８ａを閉とすることができる。
そのため、イヤーピース４の外耳道に対する挿抜の際に、前方空間Ｖｆ及び外耳道内の空間の圧力変動をなくすことができ、使用者が鼓膜の違和感を覚えることはなく、スピーカユニットＳＰの駆動系に不具合を生じることはない。
【００５１】
また、イヤーピース４を外耳道内に挿入した後のイヤホン５２の使用時において、前方空間Ｖｆ及び外耳道内の空間を外部空間Ｖｇに対して非連通にできるので、外部への音漏れが少なくできると共に良好な再生音響特性が得られる。
また、通気路２８ａが、前方空間Ｖｆに対し独立して形成されているので、ハウジング２１を、スピーカユニットＳＰの特性に合わせた良好な再生音響特性が得られる形状に設計することが容易となり、イヤホン５２を良好な再生音響特性を有するものとして得られる。
【００５２】
以上詳述した実施例は、上述の構成に限定されるものではなく、本発明の要旨を逸脱しない範囲において変形した変形例としてもよい。
【００５３】
イヤホン５２におけるパイプ２８の前方端の前後方向位置は、音筒部２２ｂの先端面２２ｂ２と一致していてもしていなくてもよい。先端面２２ｂ２の位置に近い位置であれば、図７（ａ）に示されるように前方に突出した位置であっても、図７（ｂ）に示されるように後方にずれた位置であってもよい。
すなわち、パイプ２８の前方端の前後方向位置は、先端面２２ｂ２の近傍位置であればよい。
近傍位置であって、後方にずれた位置とする場合は、再生音響特性への影響を無視できる程度に抑制して、通気路２８ａの空間を前方空間Ｖｆに含める必要がないようにするために、ずれ量Ｌａは、スピーカユニットＳＰの振動板ＳＰａから先端面２２ｂ２迄の距離の２０％以下とすることが望ましい。
【００５４】
イヤホン５１における通気路６及びイヤホン５２における通気路２８ａは、一つに限定されず、例えば、図８（ａ）及び図８（ｂ）に示されるように複数であってもよい。図８（ａ），（ｂ）では、３つとした例が示されている。
【００５５】
開閉弁部Ｂであるオーナメントプレート７，２７の開閉動作は、軸線ＣＬ３，ＣＬ２３まわりの回動によるものに限定されない。
例えば、直動によって通気路６，２８ａを開閉するものであってもよいが、移動のために指で付与された力によってハウジング１，２１が前後動しにくいものが好ましい。
これは、ハウジング１，２１が前後動するとイヤーピース４も前後動し、閉状態のまま外耳道内の空間容積を増減させる虞があることによる。
従って、直動の場合は、軸線ＣＬ３，ＣＬ２３に直交する方向の移動で開閉するよう構成されていることが望ましい。
【００５６】
通気路６，２８ａが外部空間Ｖｇと連通する部位（外部連通部位）は、上述のハウジング１における後ハウジング３，２３の後面３ａ１，２３ａ１でなくてもよい。
外部連通部位を音筒部２ｂ，２２ｂの外面に設定すると、イヤーピース４との係合構造と干渉し、開閉弁部Ｂを設けた場合に構造が複雑になるため、ハウジング１，２１における音筒部２ｂ，２２ｂ以外の外面で外部空間Ｖｇと連通させることが望ましい。
上述のように、ハウジング１，２１における音筒部２ｂ，２２ｂとは反対側の部位（後面３ａ１，２３ａ１）に設けると、耳介から遠い位置となるため、耳介の影響を受けずに良好に通気でき、さらに開閉弁部Ｂを設けた場合に、指での開閉作業が容易になるので好ましい。
【符号の説明】
【００５７】
１，２１  ハウジング
２，２２  前ハウジング
２ａ  前壁
２ｂ，２２ｂ  音筒部
２ｂ１，２２ｂ１  貫通孔
２ｂ２，２２ｂ２  先端面
２ｃ，２２ｃ  リブ
２ｄ  後端面
３，２３  後ハウジング
３ａ，２３ａ  後壁
３ａ１，２３ａ１  後面
３ｂ  支持環部
４  イヤーピース
５，２５  サポータ
５ｃ，２５ｃ  リブ
６，６ａ〜６ｃ  通気路
６ｃ１  開口部
７，２７  オーナメントプレート
７ａ，２７ａ  開放部
７ｂ，２７ｂ  指掛かり
２３ａ２  保持部
２３ａ３  保持孔
２８  パイプ（通気部材）
２８ａ  通気路（孔）
５１，５２  イヤホン
Ｂ  開閉弁部
ＣＬ３，ＣＬ２３  軸線
Ｌａ  ずれ量
Ｐａ，Ｐｂ  接続点
Ｒｂ  リブ
Ｒ１  前方気室
Ｒ２  後方気室
ＳＰ  スピーカユニット
ＳＰａ  振動板
ＳＰｂ  端子
Ｖｂ  バックキャビティ
Ｖｆ  前方空間
Ｖｈｆ，Ｖｔ  空間
φａ，φｂ  内径
【図１】
2018121285.tif 000003
【図２】
2018121285.tif 000004
【図３】
2018121285.tif 000005
【図４】
2018121285.tif 000006
【図５】
2018121285.tif 000007
【図６】
2018121285.tif 000008
【図７】
2018121285.tif 000009
【図８】
2018121285.tif 000010